(57)【要約】【課題】同一シリーズの録画番組からの番組検出を容易にする。【解決手段】ＥＰＧの番組情報の中から番組の識別に有用な情報としてサブタイトル情報及びゲスト出演者情報を抽出し、シリーズ番組のタイトルを選択したとき、各放送回毎のサブタイトルとゲスト出演者名を一覧表示する。【選択図】図１
2009290491.tif 000002
【特許請求の範囲】
【請求項１】
テレビ放送信号と該テレビ放送信号に多重化されているテキスト情報とを含む放送データを受信する受信部と、
前記受信した放送データを記録する録画部と、
前記受信部により取得したテキスト情報から録画番組のタイトル及びサブタイトルを含む録画番組情報を抽出する録画番組情報抽出部と、
前記録画番組情報を格納する記憶部と、
前記録画番組情報を提示する録画番組情報提示部と、
前記録画番組情報提示部によって提示された情報に対して選択操作を行う入力部とを備え、
前記録画番組情報提示部は、前記入力部によりシリーズ番組のタイトルが選択されたとき、当該タイトルを有する複数の録画番組それぞれのサブタイトルを一覧表示することを特徴とする番組録画装置。
【請求項２】
請求項１記載の番組録画装置において、前記録画番組情報抽出部は前記テキスト情報から録画番組の出演者情報を抽出し、出演者を出演頻度の多い出演者と出演頻度の少ない出演者に分類して前記録画番組情報として格納し、前記録画番組情報提示部は、前記サブタイトルを有する録画番組の出演者のうち前記出演頻度の少ない出演者名を当該サブタイトルと組にして一覧表示することを特徴とする番組録画装置。
【請求項３】
請求項１記載の番組録画装置において、前記サブタイトルを放送日の昇順又は降順にソートして一覧表示することを特徴とする番組録画装置。
【請求項４】
テレビ放送信号と該テレビ放送信号に多重化されているテキスト情報とを含む放送データを受信する受信部と、
前記受信した放送データを記録する録画部と、
前記受信部により取得したテキスト情報から録画番組のタイトル及び出演者情報を含む録画番組情報を抽出し、出演者を出演頻度の多い出演者と出演頻度の少ない出演者に分類する番組情報抽出部と、
前記録画番組情報を格納する記憶部と、
前記録画番組情報を提示する録画番組情報提示部と、
前記録画番組情報提示部によって提示された情報に対して選択操作を行う入力部とを備え、
前記録画番組情報提示部は、前記入力部によりシリーズ番組のタイトルが選択されたとき、当該タイトルを有する複数の録画番組の放送日を各放送日の出演者のうち前記出演頻度の少ない出演者名とともに一覧表示することを特徴とする番組録画装置。
【請求項５】
請求項４記載の番組録画装置において、前記放送日を昇順又は降順にソートして一覧表示することを特徴とする番組録画装置。
【発明の詳細な説明】
【技術分野】
【０００１】
本発明は、録画番組情報表示機能を持つ番組録画装置に関するものである。
【背景技術】
【０００２】
録画機器が大容量のＨＤＤを搭載するようになり、ユーザが録画できるテレビ番組数は著しく増加している。録画番組数の増加に伴い、目的の番組を探す手間が煩雑化してきている。そのため、番組をタイトル、ジャンル、チャンネル、ユーザなどでグループ分けし、グループごとの一覧で表示する技術が特許文献１に開示されている。
【０００３】
【特許文献１】特開２００５−２８６３８８号公報
【発明の開示】
【発明が解決しようとする課題】
【０００４】
特許文献１の方法を用いると、録画番組をタイトルやジャンルなどによりグループ分けができ、選択したグループに対して番組一覧を表示できるため、グループ内の番組数が少ない場合には、番組を探す手間を軽減できる。
【０００５】
録画の仕方として、毎週あるいは毎日など複数回放送される番組を毎回網羅的に録画するという録画方法は一般的によく行われる。連続ドラマや、音楽番組、バラエティ番組、トーク番組などにおいて同じ番組タイトルで複数回放送される番組はシリーズ番組と呼ばれ、放送回数が十回程度のシリーズ番組から何千回に及ぶ長寿のシリーズ番組まである。このように番組タイトルが同じシリーズ番組を多数録画した場合、タイトルでグループ分けしただけでは、多くの番組が同じグループに含まれてしまい、その中から求める番組を探す手間は軽減されないという課題があった。
【課題を解決するための手段】
【０００６】
本発明ではＥＰＧ（Electronic Program Guide：電子番組表）の番組情報の中から番組の識別に有用な情報を抽出して提示し、同じシリーズの録画番組情報表示の視認性を向上させ、上記課題を解決する。番組の識別に有用な情報として、本発明では、番組タイトルに続くサブタイトルとゲスト出演者に着目した。シリーズ番組の場合、どの番組にも同じタイトルが付けられているが、タイトルに続くサブタイトルにはその回の放送に特有の情報が含まれていることが多い。また、各回の放送のゲスト出演者の情報、すなわちレギュラー出演者ではなく、そのシリーズ番組の中では相対的に出演頻度の少ない出演者として誰が出演しているかの情報は、各回の番組内容識別のための有力な情報になりうる。
【０００７】
本発明の番組録画装置は、テレビ放送信号と該テレビ放送信号に多重化されているテキスト情報とを含む放送データを受信する受信部と、受信した放送データを記録する録画部と、受信部により取得したテキスト情報から録画番組のタイトル及びサブタイトルを含む録画番組情報を抽出する録画番組情報抽出部と、録画番組情報を格納する記憶部と、録画番組情報を提示する録画番組情報提示部と、録画番組情報提示部によって提示された情報に対して選択操作を行う入力部と備え、録画番組情報提示部は、入力部によりシリーズ番組のタイトルが選択されたとき、当該タイトルを有する複数の録画番組それぞれのサブタイトルを一覧表示する。
【０００８】
また、録画番組情報抽出部はテキスト情報から録画番組の出演者情報を抽出し、出演者を出演頻度の多い出演者と出演頻度の少ない出演者に分類して録画番組情報として格納し、録画番組情報提示部は、サブタイトルを有する録画番組の出演者のうち出演頻度の少ない出演者名を当該サブタイトルと組にして一覧表示するようにしてもよい。
【０００９】
また、番組情報抽出部は、受信部により取得したテキスト情報から録画番組のタイトル及び出演者情報を含む録画番組情報を抽出し、出演者を出演頻度の多い出演者と出演頻度の少ない出演者に分類し、録画番組情報提示部は、入力部によりシリーズ番組のタイトルが選択されたとき、当該タイトルを有する複数の録画番組の放送日を各放送日の出演者のうち出演頻度の少ない出演者名とともに一覧表示するようにしてもよい。
【発明の効果】
【００１０】
本発明によれば、多数のシリーズ番組を録画した場合においても、必要とする番組を容易に検出できる。
【発明を実施するための最良の形態】
【００１１】
以下、図面を参照して本発明の実施の形態を説明する。
【００１２】
図１は、本発明の番組録画装置の構成例を示すブロック図である。この番組録画装置１０１は、アンテナ１０２を通じて放送信号とその放送信号に多重化されているデータを受信する受信部１０３と、受信した放送を録画する録画部１０４と、各種処理を実行するＣＰＵ１０５と、ユーザが入力を行う入力部１０６と、受信した映像、音声、その他の各種情報をユーザに提供する出力部１０７と、ＯＳ１１０、番組情報抽出プログラム１１１や録画情報提示プログラム１１５などのプログラム類、録画番組情報１１４を格納すると共に処理中の計算結果を一時的に格納する作業メモリ１１６を格納する記憶部１０８と、ユーザからの入力を受け付ける入力受付部１０９を有する。
【００１３】
受信部１０３は、映像信号や音響信号などの信号データを受信するハードウェア及びソフトウェアから構成され、放送信号とその放送信号に多重化されたデータを受信する。録画部１０４は、磁気ディスクや光ディスクなどの記憶媒体あるいは不揮発性のメモリに、受信した映像や音響などのデータを記録する。入力部１０６は、リモコンのボタンや十字カーソルキーと決定ボタンなどで構成することが可能であり、マウスなどのポインティングデバイスで代替し構成してもよい。出力部１０７は、ディスプレイなどの画像表示部とスピーカなどの音響出力部で構成することが可能である。
【００１４】
記憶部１０８は、ＳＲＡＭやフラッシュメモリなどの不揮発性メモリで構成することが可能であるほか、プログラム類や不変データをＲＯＭに、番組内情報などの可変データをＲＡＭに分ける構成としてもよく、半導体メモリではなく、磁気ディスクなどの記憶媒体で構成することも可能である。入力受付部１０９は、入力部１０６がリモコンとして構成されている場合には、リモコンから発せられる赤外線信号を受信する赤外線信号受信機として構成することが可能である。
【００１５】
図１１は、ＥＰＧの表示例を説明する図である。番組情報１１０１はテレビ画面に表示される番組表に記載される情報であり、番組のタイトル（図１１の例では“夢紀行”）、サブタイトル（番組の内容を表す副題、図１１の例では“春の伊豆グルメ旅”）、番組の概略説明（図１１の例では“俳優…”以下の説明文）が含まれる。番組詳細情報１１０２は番組情報１１０１の概略説明をより詳細にした説明（〔番組内容〕以下の説明）や、出演者の名前や役割の情報（〔出演者〕以下の情報）などが記載される。これらの情報は、番組情報１１０１の代わりに番組表の中に直接表示される場合や、番組表の中の番組をリモコンなどの入力部１０６を用いて選択したときにポップアップ画面などで表示される場合もある。
【００１６】
図１２は、表示されるＥＰＧの基となるデータ構造の例を説明する図である。ＥＰＧデータ１２０１では番組個々のデータが放送日時情報１２０２、放送局情報１２０３、ジャンル情報１２０４、番組情報データ１２０５、番組詳細情報データ１２０６などの要素から構成される。ジャンル情報１２０４はドラマ、映画、スポーツなど番組のジャンルを示す情報である。より詳細なサブジャンル（例えばスポーツの場合、野球、サッカーなど）の情報まで含まれる場合が多い。
【００１７】
番組情報データ１２０５は、番組名１２０７と番組記述１２０８で構成される。番組名１２０７は番組タイトルとサブタイトルを含む（図１１、１１０１の“夢紀行「春の伊豆グルメ旅」）”に相当）。番組記述１２０８は番組の概略説明を記述したものである（図１１、１１０１の“俳優…”以下の記述）。番組詳細情報データ１２０６は項目名１２０９と項目記述１２１０から構成される。項目名は番組内容１２１１や出演者１２１３など番組を詳細に説明する情報の項目を表すものである。番組内容や出演者の他には、原作・脚本、監督・演出、制作などの項目がある。ＥＰＧとして表示される際には、番組詳細情報の中で〔〕などで囲まれたタグとして記載される（図１１、１１０２の〔番組内容〕〔出演者〕）。項目記述１２１０は各項目名１２０９の内容を説明する記述である。番組内容記述１２１２は番組の内容を説明する記述で、一般に番組情報１２０５の番組記述１２０８をより詳細にした記述である。出演者情報記述１２１４は出演者の名前や属性を記述したものである（図１１、１１０２の“ＭＭＭ”）。
【００１８】
図１３は、出演者情報記述の他の例を説明する図である。例１３０１では出演者名に“司会：”“ゲスト：”という属性タグが記述されており、各出演者がどういう立場で出演しているかがわかる。「司会」、「ゲスト」以外にも、「レギュラー出演者」「ＭＣ」（Master of Ceremony、テレビでは司会者などの番組進行を取り仕切る人を指す）、「キャスター」など、様々な属性タグがある。また、例１３０２のように属性タグがない場合もある。
【００１９】
図１の番組情報抽出プログラム１１１は、受信部１０３が受信する、図１２に示したようなＥＰＧデータ１２０１を解析し、録画番組の情報として番組タイトル、ジャンル、出演者などの情報を取得し、図２〜図５に示すようなデータとして記録する。シリーズ分類モジュール１１２、出演者分類モジュール１１３、サブタイトル抽出モジュール１１７により、ＥＰＧデータ１２０１を詳細に解析する。シリーズ分類モジュール１１２は、同じシリーズごとに番組を分類する。同じシリーズの番組は同じタイトルを持つため、番組情報データ１２０５の番組名１２０７から番組タイトルを抽出し、同じ番組タイトルを持つ番組ごとに分ける。番組名１２０７からは、例えば“「”や全角スペースの前までの記述を取り出すことで番組タイトルが抽出できる。出演者分類モジュール１１３は、出演者をレギュラー出演者とゲスト出演者とに分類する。分類方法は図６〜図９により説明する。サブタイトル抽出モジュール１１７では、番組情報１２０５の番組名１２０７からサブタイトルを抽出する。サブタイトルは、例えば「」で囲まれた記述や全角スペース後の記述として取り出すことができる。サブタイトルは番組情報１２０５の番組名１２０７においてタイトル以外の部分でもあるため、シリーズ分類モジュール１１２でタイトルを抽出する処理と同時に処理してもよい。受信するＥＰＧデータは、装置をインターネットと接続し、インターネット経由で受信する構成とすることも可能である。
【００２０】
図１の録画番組情報１１４は、番組情報抽出プログラム１１１により抽出された、録画番組の番組情報データである。録画情報提示プログラム１１５は、録画番組に関する情報を、出力部１０７を構成するディスプレイなどの画像表示部に表示する。
【００２１】
図２は、録画番組情報１１４についての説明図である。録画番組情報１１４は番組シリーズテーブル２０１として構成される。番組シリーズテーブル２０１の要素２０８は、同じタイトルの番組の集合である、一つの番組シリーズの情報であり、番組タイトル２０２、その番組シリーズの録画した番組の数を表す録画番組数２０３、番組シリーズが放送されるチャネル２０４、番組のジャンル２０５、サブタイトルや番組概要などの番組情報２０６、その番組シリーズに出演した出演者の情報であるシリーズ出演者情報２０７などで構成される。
【００２２】
図３は、図２の番組情報２０６の構成についての説明図である。番組情報２０６は番組情報テーブル３０１として構成される。番組情報テーブル３０１の要素３０７は、一つの番組に関する情報であり、番組がシリーズの何回目（何話目）の放送かを示す回数３０２、放送日時３０３、サブタイトル３０４、番組の概要説明のテキスト情報である番組内容３０５、出演者情報３０６などで構成される。
【００２３】
図４は、図３の出演者情報３０６の構成についての説明図である。出演者情報３０６は出演者テーブル４０１として構成される。出演者テーブル４０１の要素４０４は、対応する番組情報テーブル３０１の要素３０７が表す番組に出演している出演者の情報であり、出演者名４０２と、その出演者がレギュラー出演者であるか、ゲスト出演者であるかを示す属性フラグ４０３で構成される。
【００２４】
図５は、図２のシリーズ出演者情報２０７の構成についての説明図である。シリーズ出演者情報２０７は、シリーズ出演者テーブル５０１として構成される。シリーズ出演者テーブル５０１の要素５０４は、番組シリーズテーブル２０１の対応する要素２０８が表す番組シリーズの出演者の情報であり、出演者名５０２と録画番組数５０３で構成される。録画番組数５０３は、その出演者がそのシリーズ番組に出演した回数である。すなわち、録画番組数５０３は、要素５０４の出演者名５０２が、番組シリーズテーブル２０１の要素２０８の、番組情報２０６を構成する番組情報テーブル３０１の要素３０７の中で、出演者情報３０６を表す出演者テーブル４０１において、出演者名４０２と一致する要素４０４を持つ要素３０７の数を表す。
【００２５】
図６は、図１の番組情報抽出プログラム１１１の処理方式の説明図である。ステップ６０１において、ＥＰＧデータからタイトル情報、チャネル情報、ジャンル情報、放送日時情報、回数情報、サブタイトル情報、番組内容情報、出演者情報を取得する。ステップ６０１実行後、シリーズ分類処理６０２を行う。
【００２６】
図７は図６のシリーズ分類処理６０２の処理方式の説明図である。判定処理７０１において、番組シリーズテーブル２０１のタイトル２０２を参照し、図６のステップ６０１で得たタイトル（対象タイトル）が既に登録されているか否かを判定する。登録されている場合にはステップ７０２を、登録されていない場合にはステップ７０３を実行する。ステップ７０２においては、タイトル２０２が対象タイトルである要素２０８の録画番組数２０３に１を加え、番組情報２０６に対応する番組情報テーブル３０１に要素３０７を追加し、図６のステップ６０１で得た放送回数３０２、放送日時３０３、サブタイトル３０４、番組内容３０５を登録する。ステップ７０３においては、番組シリーズテーブル２０１に要素２０８を追加し、タイトル２０２に対象タイトルを、放送チャネル２０４、ジャンル２０５に図６のステップ６０１で得た情報を登録し、録画番組数２０３に１を登録する。更に番組情報２０６に対応する番組情報テーブル３０１を生成し、要素の放送回数３０２、放送日時３０３、サブタイトル３０４、番組内容３０５に図６のステップ６０１で得た情報を登録する。
【００２７】
次に、図６のステップ６０１で得た出演者情報に含まれる全出演者名に対し、ステップ７０４〜７０７を実行する。判定ステップ７０４においては、ステップ７０２又はステップ７０３において番組シリーズテーブル２０１に情報を登録した要素のシリーズ出演者２０７に対するシリーズ出演者テーブル５０１の各要素５０４の出演者名５０２を参照し、対象出演者名が既に登録されているか否かを判定する。登録されている場合にはステップ７０５を、登録されていない場合には７０６を実行する。ステップ７０５においては、シリーズ出演者テーブル５０１の出演者名５０２に対象出演者名が登録されている要素の録画番組数５０３に１を加える。ステップ７０６においては、シリーズ出演者テーブル５０１に要素を追加し、出演者名５０２に対象出演者名を、録画番組数に１を登録する。ステップ７０５又はステップ７０６の実行後、出演者分類処理７０７を実行する。
【００２８】
図８は、図７の出演者分類処理７０７の処理方式を説明する図である。ステップ８０１においては、図７のステップ７０２又はステップ７０３において、番組情報テーブル３０1に情報を登録した要素３０７の出演者情報３０６に対応する出演者テーブル４０１の要素４０４の出演者名４０２に対象出演者名を登録する。判定ステップ８０２においては、図６のステップ６０１で得た対象出演者の情報に分類タグがあるか否かを判定する。分類タグがある場合にはステップ８０３に進み、ない場合には出演頻度判定処理８０６を実行する。出演者情報の分類タグはＥＰＧデータの出演者情報テキストに記載されている、出演者の属性を表すタグである。タグの種類や有無はＥＰＧ情報の提供元や作成元に依存する。タグの種類には「レギュラー出演者」「ゲスト」「司会」「ＭＣ」「キャスター」などがある。
【００２９】
分類タグがある場合に実行される判定ステップ８０３においては、分類タグの種類を判定する。分類タグが「レギュラー出演者」「司会」「ＭＣ」「キャスター」「出演」「声」などレギュラー出演者を表す種類である場合にはステップ８０４を実行する。分類タグが「ゲスト」などゲスト出演者を表す種類である場合にはステップ８０５を実行する。分類タグがレギュラー出演者かゲスト出演者かの区別が付かない場合には、出演頻度判定処理８０６を実行する。ステップ８０４においては、出演者テーブル４０１の対象出演者を出演者名４０２に登録した要素４０４の属性フラグ４０３にレギュラーを表す値を登録する。ステップ８０５においては、出演者テーブル４０１の対象出演者を出演者名４０２に登録した要素４０４の属性フラグ４０３にゲストを表す値を登録する。
【００３０】
図９は、図８の出演頻度判定処理８０６の処理方式を説明する図である。判定ステップ９０１においては、図７のステップ７０２又はステップ７０３の結果、番組シリーズテーブル２０１の録画番組数２０３に登録されている値Ｓが閾値α以上であるか否かを判定する。値Ｓが閾値α以上である場合にはステップ９０２に進み、値Ｓが閾値α以上でない場合にはステップ９０５を実行する。ステップ９０２においては、図７のステップ７０５又はステップ７０６の結果、シリーズ出演者テーブル５０１の録画番組数５０３に登録されている値Ｔと前述の値Ｓに対し、Ｔ／Ｓが閾値β以上である否かを判定する。閾値βの値は例えば０．６とする。閾値β以上である場合にはステップ９０３を、閾値β以上でない場合にはステップ９０４を実行する。ステップ９０３においては、出演者テーブル４０１の出演者名４０２に対象出演者が登録されている要素の属性フラグ４０３にレギュラーを示す値を登録する。ステップ９０４においては、出演者テーブル４０１の出演者名４０２に対象出演者が登録されている要素の属性フラグ４０３にゲストを示す値を登録する。ステップ９０５においては、出演者テーブル４０１の出演者名４０２に対象出演者が登録されている要素の属性フラグ４０３にunknownを示す値を登録する。
【００３１】
図１０は、録画番組情報の表示画面の例を説明する図である。一般に、録画番組情報を表示する場合、タイトル、ジャンル、チャネル、録画したユーザなど、分類カテゴリを選択するための分類カテゴリメニュー表示部１００１と、分類カテゴリメニュー表示部１００１で選択した分類カテゴリに含まれる要素の一覧表示部１００２を設ける表示方法がある。図１０は、分類カテゴリとしてタイトルが選択され、一覧表示部１００２にタイトル一覧が放送日（シリーズ回数）の昇順にソートされて表示されている状態を示している。これは番組シリーズテーブル２０１の各要素２０８に登録されているタイトル２０２の一覧に相当する。番組一覧表示部１００３には、タイトル一覧１００２で選択されたタイトルＣである一連の番組の情報が提示される。ここに提示する情報を、同じタイトルの番組、即ち同じシリーズに含まれる個々の番組に特徴的な情報とする。一般にサブタイトルは個々の番組に固有であるため、番組情報テーブル３０１のサブタイトル３０４に登録されている情報を表示する。例えば、サブタイトルは、放送回数の多い時代劇などでは原作本における一巻（あるいは一章）の題名であり、ドキュメンタリー番組ではその放送回で取り扱った内容を端的に表す内容であるなど、サブタイトルからは番組内容を想起しやすい傾向が強いため、番組識別に有用である。
【００３２】
また、レギュラー出演者は一つのシリーズのほぼ全ての番組に出演していて、個々の番組を区別する手がかりにならないため、出演者に関してはゲスト出演者のみの情報を表示する。例えば、時代劇や刑事ドラマなど一話完結のドラマの場合、放送回ごとに事件やトピックに関る登場人物があり、その登場人物を演じる出演者の情報は個々の番組を見分ける重要な情報となる。また、トーク番組では誰がゲストであったかは番組を見分ける最良の情報といってもよい。ゲスト出演者の情報は、出演者テーブル４０１の属性フラグ４０３を参照し、ゲスト出演者を示す値である要素の出演者名を表示することができる。
【００３３】
図１０の表示例では、サブタイトルとゲスト出演者の両方を表示しているが、サブタイトルあるいはゲスト出演者の一方だけを表示するようにしてもよい。また、表示順序は放送日（シリーズ回数）の降順にソートしてもよい。表示する内容は、番組シリーズテーブル２０１のジャンル２０５によって変えてもよい。また、番組詳細情報表示部１００４に、番組一覧表示部で選択した番組のより詳細な情報を表示してもよい。図１０の表示構成により録画番組情報を表示することにより、ユーザは番組を識別する情報を一覧できるため、求める番組を容易に探すことが可能となる。番組一覧表示部１００３を参照して視聴したい録画番組が見つかったなら、録画番組の再生操作を行って視聴する。表示画面のメニュー選択などの操作は、リモコンなどの入力部１０６を用いて行うことができる。
【００３４】
以上のように、ゲスト出演者情報など、シリーズ番組の中の番組識別に有用な情報を抽出し、提示することにより、多数の番組の中から所望の番組を探す操作が容易になる。
【産業上の利用可能性】
【００３５】
本発明は、例えばＤＶＤレコーダ、録画機能付きＴＶ等の家庭向け映像機器や、テレビ番組録画機能付きパソコン等に適用できる。
【図面の簡単な説明】
【００３６】
【図１】本発明の構成例を説明する図である。
【図２】録画番組情報のシリーズテーブルを説明する図である。
【図３】番組情報テーブルを説明する図である。
【図４】出演者テーブルを説明する図である。
【図５】シリーズ出演者テーブルを説明する図である。
【図６】番組情報抽出処理の処理方式を説明する図である。
【図７】シリーズ分類処理の処理方式を説明する図である。
【図８】出演者分類処理の処理方式を説明する図である。
【図９】出演頻度判定処理の処理方式を説明する図である。
【図１０】録画番組情報の表示例を示す図である。
【図１１】ＥＰＧの表示例を示す図である。
【図１２】ＥＰＧのデータ構造の例を説明する図である。
【図１３】ＥＰＧの出演者情報の表示例を示す図である。
【符号の説明】
【００３７】
１０１…番組録画装置、１０２…アンテナ、１０３…受信部、１０４…録画部、１０５…ＣＰＵ、１０６…入力部、１０７…出力部、１０８…記憶部、１０９…入力受付部、１１０…ＯＳ、１１１…番組情報抽出プログラム、１１２…シリーズ分類モジュール、１１３…出演者分類モジュール、１１４…録画番組情報、１１５…録画情報提示プログタム、１１６…作業メモリ、２０１…番組シリーズテーブル、２０８…番組シリーズテーブル要素、３０１…番組情報テーブル、３０７…番組情報テーブル要素、４０１…出演者テーブル、４０４…出演者テーブル要素、５０１…シリーズ出演者テーブル、５０４…シリーズ出演者テーブル要素、１００１…分類カテゴリメニュー表示、１００２…タイトル一覧表示、１００３…番組一覧表示部、１００４…番組詳細情報表示、１１０１…番組情報、１１０２…番組詳細情報、１２０１…ＥＰＧデータ
【図１】
2009290491.tif 000003
【図２】
2009290491.tif 000004
【図３】
2009290491.tif 000005
【図４】
2009290491.tif 000006
【図５】
2009290491.tif 000007
【図６】
2009290491.tif 000008
【図７】
2009290491.tif 000009
【図８】
2009290491.tif 000010
【図９】
2009290491.tif 000011
【図１０】
2009290491.tif 000012
【図１１】
2009290491.tif 000013
【図１２】
2009290491.tif 000014
【図１３】
2009290491.tif 000015